(57)【要約】【課題】  原稿の搬送経路を覆う搬送ガイド手段を分割し、それぞれ独自に開放可能に設置することによって、前記搬送ガイド手段の開放スペースを最小限に抑えると共に、紙詰まり等を起こした原稿の排除やクリーニング等のメンテナンスを必要とする部分ごとに行うことのできる原稿読取装置を提供することである。【解決手段】  給紙トレイ４１から排紙トレイ１１に原稿を案内する上流側搬送路１３ａ及び下流側搬送路１３ｂからなる略Ｕ字状の搬送経路と、この搬送経路に沿って原稿の搬送をガイドする搬送ガイド手段とを備えた原稿読取装置Ａにおいて、前記搬送ガイド手段が、読取ユニット４に設けられたコンタクトガラス７に対向した下流側ガイド部材１４と、上流側ガイド部材１９とで分割され、各ガイド部材１４，１９を開閉自在に構成すると共に、上流側ガイド部材１９の開閉動作に連動して下流側ガイド部材１４を開閉動作させる連動手段を設けた。【選択図】      図３
2008187595.tif 000002
【特許請求の範囲】
【請求項１】
原稿を載置する給紙トレイと、この給紙トレイの下方に配置される排紙トレイと、前記給紙トレイから前記排紙トレイに原稿を案内する上流側搬送路及び下流側搬送路からなる略Ｕ字状の搬送経路と、該搬送経路に沿って原稿を搬送する原稿搬送手段と、前記搬送経路に設けられ、原稿の読取面を有する読取部と、該読取部に向けて搬送されてくる原稿の読取動作を行う原稿読取手段と、前記搬送経路に沿って原稿の搬送をガイドする搬送ガイド手段とを備えた原稿読取装置において、
前記搬送ガイド手段が、前記読取部の読取面に対向した下流側ガイド部材と、該下流側ガイド部材の上流側に位置する上流側ガイド部材とで分割され、この分割されたそれぞれのガイド部材を開閉自在となるように構成すると共に、前記上流側ガイド部材の開閉動作に連動して前記下流側ガイド部材を開閉動作させる連動手段を設けてなることを特徴とする原稿読取装置。
【請求項２】
前記上流側ガイド部材及び下流側ガイド部材には、それぞれの各ガイド部材を覆うガイドカバーが設けられ、このガイドカバーと一体となって前記上流側ガイド部材及び下流側ガイド部材が前記上流側搬送路及び下流側搬送路に対して開閉自在に取り付けられる請求項１記載の原稿読取装置。
【請求項３】
前記下流側ガイド部材は、閉鎖時に原稿搬送手段とロックし且つ開放時にロックが解除される第１係合手段を備える請求項１又は２記載の原稿読取装置。
【請求項４】
前記上流側ガイド部材は、前記第１係合手段と係合する第２係合手段を備え、上流側ガイド部材の開放時には前記第２係合手段の動きに連動して前記第１係合手段のロックを解除する請求項１又は３記載の原稿読取装置。
【請求項５】
前記第１係合手段は、前記下流側ガイド部材に回転可能に取り付けられる回転レバーと、この回転レバーに設けられ、下流側ガイド部材が原稿搬送手段にロックされる固定溝及び前記第２係合手段に係合してロックを解除するスライド溝とを備える請求項３記載の原稿読取装置。
【請求項６】
前記第２係合手段は、前記上流側ガイド部材を開閉した際に前記スライド溝内に係合して移動する突起部を有し、この突起部によって前記回転レバーを回転させることで、前記第１係合手段によるロック及びこのロックの解除を行う請求項３乃至５のいずれかに記載の原稿読取装置。
【請求項７】
前記第１係合手段には、前記回転レバーを回転させるための操作部を備え、この操作部によって原稿搬送手段とのロック及びこのロックの解除を行わせることで、前記下流側ガイド部材を前記上流側ガイド部材と独立して開閉可能とした請求項５記載の原稿読取装置。
【請求項８】
前記第２係合手段には、前記下流側ガイド部材が閉鎖されているときに前記突起部を回転レバーから退避した位置に移動させるスライド手段を備えている請求項５又は６記載の原稿読取装置。
【請求項９】
前記第１係合手段及び第２係合手段は、前記上流側ガイド部材が所定の角度以上に回転した際に連結が解除される請求項５又は６記載の原稿読取装置。
【請求項１０】
前記上流側ガイド部材及び下流側ガイド部材は、前記上流側搬送路及び下流側搬送路に対してそれぞれ略９０度の回転角で開閉自在である請求項１記載の原稿読取装置。
【発明の詳細な説明】
【技術分野】
【０００１】
本発明は、複写機等の画像形成装置本体に備わる原稿読取装置に関し、詳しくは給紙されてくる原稿をガイドするための開閉式の搬送ガイド手段を備えた原稿読取装置に関するものである。
【背景技術】
【０００２】
一般に、複写機等の画像形成装置本体に備わる原稿読取装置には、給紙トレイにセットした原稿を搬送ユニットに備わる画像読取部を経由して排紙トレイに至る原稿の搬送経路を備えている。この搬送経路は、原稿を上段側の給紙トレイから画像読取部を経由して下段側の排紙トレイに排出させるために、折り返し用の屈曲部を有して略Ｕ字状に形成されているものが多い（特許文献１，２）。
【０００３】
前記搬送経路上を流れる原稿は、画像形成装置本体の上面に設けられている平面状のプラテンガラスを有する画像読取部によって読み取られる。また、原稿の両面読み取り機能を有した装置においては、原稿の表面を前記画像読取部で読み取った後、原稿を裏返して再度前記画像読取部にバックして裏面を読み取るスイッチバック機構を備えたものもある。さらに、両面読取のスピードアップ化を図るため、画像形成装置本体側に設けられている画像読取部とは別に前記原稿読取装置の搬送経路の中間に第２の画像読取部を設けて構成される場合がある（特許文献３）。
【０００４】
前記第２の画像読取部を備えた原稿読取装置において、給紙トレイにセットされた原稿は、最初に搬送経路の上段側に備わる複数のローラによって上流側搬送路上に送り出され、この上流側搬送路から下方に延びる下流側搬送路に向けて送り出される。この下流側搬送路には、前記第２の画像読取部に備わる読取用のコンタクトガラスが配置されている。そして、前記第２の画像読取部で原稿の一方の面が読み取られた後、画像形成装置本体の上方に備わる第１の画像読取部を通過する際に、前記原稿の他方の面が読み取られる。このように、第２の画像読取部を備えた原稿読取装置にあっては、上流側搬送路から下流側搬送路にかけて断面が略Ｕ字状に屈曲した構造となっている。このため、前記上流側搬送路から下流側搬送路にかけて原稿をニップするためのガイドカバーを備えた搬送ガイド手段も屈曲して構成されている。この搬送ガイド手段は、上流側搬送路上や下流側搬送路上で紙詰まり等を起こした原稿を取り除く際やクリーニング等のメンテナンスの際に開放可能となるように、一端を支点として回転して開放可能となるように軸支持されている。
【特許文献１】特開２００２−１８２４３７号公報
【特許文献２】特開２００５−２３１８７３号公報
【特許文献３】特開２００５−４７７０１号公報
【発明の開示】
【発明が解決しようとする課題】
【０００５】
しかしながら、前述したような第２の画像読取部を備えた原稿読取装置では、下流側搬送路の一部の経路が高さ方向に長く延びているので、この下流側搬送路を含む搬送ガイド手段の全長も長くなる。また、前記搬送ガイド手段を下流側搬送路まで完全に開放する場合は、１８０度の水平位置近くまで大きく開かなければならない。このため、全長の長い前記搬送ガイド手段の開放スペースを考慮して画像形成装置本体を設置しなければならないといった問題がある。また、前記搬送ガイド手段では、紙詰まり等を起こした原稿の位置やメンテナンスの位置に関わりなく上流側搬送路及び下流側搬送路の全体を開放しなければならない。さらに、前記搬送ガイド手段には、上流側搬送路上や下流側搬送路上に沿って原稿をスムーズに搬送させるための搬送ローラ等が配置されているため、全体の重量が多くなり、搬送ガイド手段を開閉させる際の負担が大きくなるといった問題も有していた。
【０００６】
そこで、本発明の目的は、原稿の搬送経路を覆う搬送ガイド手段を分割し、それぞれ独自に開放可能に設置することによって、前記搬送ガイド手段の開放スペースを最小限に抑えると共に、紙詰まり等を起こした原稿の排除やクリーニング等のメンテナンスを必要とする部分ごとに行うことのできる原稿読取装置を提供することである。
【課題を解決するための手段】
【０００７】
上記課題を解決するために、本発明の原稿読取装置は、原稿を載置する給紙トレイと、この給紙トレイの下方に配置される排紙トレイと、前記給紙トレイから前記排紙トレイに原稿を案内する上流側搬送路及び下流側搬送路からなる略Ｕ字状の搬送経路と、該搬送経路に沿って原稿を搬送する原稿搬送手段と、前記搬送経路に設けられ、原稿の読取面を有する読取部と、該読取部に向けて搬送されてくる原稿の読取動作を行う原稿読取手段と、前記搬送経路に沿って原稿の搬送をガイドする搬送ガイド手段とを備えた原稿読取装置において、前記搬送ガイド手段が、前記読取部の読取面に対向した下流側ガイド部材と、該下流側ガイド部材の上流側に位置する上流側ガイド部材とで分割され、この分割されたそれぞれのガイド部材を開閉自在となるように構成すると共に、前記上流側ガイド部材の開閉動作に連動して前記下流側ガイド部材を開閉動作させる連動手段を設けてなることを特徴とする。
【発明の効果】
【０００８】
本発明に係る原稿読取装置によれば、給紙トレイから排紙トレイに至る略Ｕ字状に屈曲した原稿の搬送経路にあって、この搬送経路を形成する上流側搬送路及び下流側搬送路からそれぞれ分割して開放可能な上流側ガイド部材及び下流側ガイド部材を備えて構成されているので、前記上流側ガイド部材及び下流側ガイド部材を開放する際の平面スペースを最小限に抑えることができる。
【０００９】
また、前記上流側搬送路及び下流側搬送路が上流側ガイド部材及び下流側ガイド部材によってそれぞれ独立して開閉自在となっているため、紙詰まり等を起こした箇所やメンテナンスが必要となる搬送経路のみを開閉させることができる。また、その際に各ガイド部材を開閉させる際の負担も軽減する。
【００１０】
さらに、分割可能に構成された上流側ガイド部材及び下流側ガイド部材のそれぞれに係合手段を設けることで、上流側搬送路と下流側搬送路とを連動させて開閉させることができる。
【発明を実施するための最良の形態】
【００１１】
以下、添付図面に基づいて本発明に係る原稿読取装置の実施形態を詳細に説明する。図１〜図３に示すように、本実施形態の原稿読取装置Ａは、搬送ユニットＦ、第１の画像読取部Ｈ１、第２の画像読取部Ｈ２を備えた構成になっている。この原稿読取装置Ａは、搬送ユニットＦの給紙トレイにセットされた原稿が第２の画像読取部Ｈ２に備わる第２の読取プラテン（第２のコンタクトガラス）から第１の画像読取部Ｈ１の上面に設けられた第１の読取プラテン（第１のコンタクトガラス）１上を経て原稿を読み取るように構成されている。
【００１２】
前記第１の画像読取部Ｈ１は、第１のコンタクトガラス１を介してランプ等の光源から発せられた光を原稿に照射し、その反射光を複数のミラーで反射させ、レンズを介してＣＣＤなどの光電変換手段により光電変換して原稿画像を読み取る第１の読取ユニット３を備え、第１のコンタクトガラス１の上面に第１の画像読取部Ｈ１を構成している。また、この第１の画像読取部Ｈ１は、前記第１のコンタクトガラス１の後方に第２の読取プラテン（第２のコンタクトガラス）２を備えている。この第２のコンタクトガラス２は、原稿を載せ置くことのできる面積を有しており、搬送ユニットＦを上方に開けた状態で本や雑誌等の厚い原稿を載せ置き、前記第１の読取ユニット３を副走査方向に移動させることによって、原稿画像を読み取ることができる。
【００１３】
前記搬送ユニットＦは、大量の原稿を一度に載置することのできる給紙トレイ４１及び昇降トレイ４２を有する給紙トレイユニットＴと、この給紙トレイユニットＴの下方側に配置され、前記第１の画像読取部Ｈ１で原稿画像が読み取られた原稿を収納する排紙トレイ１１と、前記第２のコンタクトガラス２を押圧するための押圧カバー１２と、前記給紙トレイユニットＴから排紙トレイ１１に原稿を搬送するための搬送経路１３とを備えて構成されている。前記押圧カバー１２は、例えばスポンジ等の多孔質部材と白色マイラー等のフィルム部材とによって構成されている。
【００１４】
また、この実施形態における原稿読取装置Ａでは、前記搬送経路１３の湾曲部に原稿の裏面画像を読み取る第２の読取ユニット４を有する第２の画像読取部Ｈ２が設けられている。前記第２の読取ユニット４は、第１の読取ユニット３と同様、搬送経路１３の一部を形成する第３の読取プラテン（第３のコンタクトガラス）７を介してランプ等の光源から発せられる光を原稿に照射し、その反射光を複数のミラーで反射させてレンズを介してＣＣＤなどの光電変換手段により光電変換して原稿画像を読み取るように構成されており、第３のコンタクトガラス７の上面が第２の画像読取部Ｈ２として構成される。このように、原稿読取装置Ａでは、搬送経路１３の途中に設けられる第２の画像読取部Ｈ２を通過する原稿の一方の片面原稿画像を第２の読取ユニット４で読み取り、前記第１の画像読取部Ｈ１を通過する原稿の他方の片面原稿画像を第１の読取ユニット３で読み取るので、両面原稿の画像読取時間を大幅に短縮することができる。
【００１５】
前記搬送経路１３は、水平方向に延びる上流側搬送路（上部搬送路）１３ａと、この上部搬送路１３ａから下方向に延びる第１の下流側搬送路（側部搬送路）１３ｂと、この側部搬送路１３ｂから折り返して前記上部搬送路１３ａと逆方向に延びる第２の下流側搬送路（下部搬送路）１３ｃとで略Ｕ字状に形成されている。前記上部搬送路１３ａは、給紙トレイ４１にセットされた原稿を水平方向に送り出すために設けられ、側部搬送路１３ｂは前記原稿を第２の読取ユニット４に備わる第３のコンタクトガラス７を通過させるために設けられる。また、下部搬送路１３ｃは、第１の画像読取部Ｈ１に備わる第１のコンタクトガラス１又は第２のコンタクトガラス２を通過して排紙トレイ１１に原稿を収容するためのものである。このうち、前記上部搬送路１３ａ及び側部搬送路１３ｂには、上流側ガイド部材１９及び下流側ガイド部材１４がそれぞれ開閉可能に取り付けられている。
【００１６】
前記上部搬送路１３ａは、前記上流側ガイド部材１９の閉鎖時に原稿が搬送可能となるようにガイドされ（図１）、開放時には前記原稿のニップが解除される（図３）。給紙トレイユニットＴから原稿を繰り出すための繰出ローラ２１と、繰出ローラ２１から繰り出された原稿を１枚ずつ分離して給送するための給紙ローラ２２及び分離パッド２３からなる分離手段と、給紙ローラ２２から給紙された原稿の先端がそのニップ点に突き当たることによって原稿の先端を整合してスキューを除去し、その後に駆動して原稿を下流側に送るレジストローラ対２４とを備える。さらに、前記レジストローラ対２４からの原稿を前記第２の画像読取部Ｈ２及び第１の画像読取部Ｈ１に向けて送り出す送りローラ対２５を備える。
【００１７】
前記側部搬送路１３ｂは、前記下流側ガイド部材１４の閉鎖時に原稿が搬送可能となるようにガイドされ（図１）、開放時には前記原稿のニップが解除される（図２，図３）。前記送りローラ対２５からの原稿を第２の画像読取部Ｈ２に供給する第１の読取ローラ対２６と、第２の画像読取部Ｈ２にて一方の片面が読み取られた原稿を第１の画像読取部Ｈ１に供給する第２の読取ローラ対２７とを備える。
【００１８】
また、前記下部搬送路１３ｃには、第２の画像読取部Ｈ２と第１の画像読取部Ｈ１とを通過した原稿を搬出する第３の読取ローラ対２８と、第１の画像読取部Ｈ１を通過して両面が読み取られた後の原稿を第３の読取ローラ対２８から受けて排紙トレイ１１に向けて搬送する第１排紙ローラ対２９と、原稿を排紙トレイ１１に排紙する第２排紙ローラ対３０とを備えている。この実施形態では、上記の搬送経路１３は複数の部材を組み込んだ搬送ユニットＦとして構成されている。
【００１９】
次に、上記構成からなる原稿読取装置Ａによる原稿搬送動作について説明する。先ず、給紙トレイユニットＴ上に原稿が載置されたことをエンプティセンサＳ１が検知し、さらに第２の画像読取部Ｈ２からの給紙指令信号によって、繰出ローラ２１と給紙ローラ２２が駆動する。これによって、給紙トレイユニットＴの上に載置された複数の原稿が順次繰り出され、分離パッド２３によって１枚ずつ分離されたのち給送される。給送された原稿の先端をレジストセンサＳ２が検知すると、その検知した時点から原稿を所定量搬送することによって、レジストローラ対２４のニップ部に原稿の先端が突き当たって整合され、スキューが取り除かれる。その後、レジストローラ対２４，送りローラ対２５及び各読取ローラ対２６，２７，２８が駆動する。これによって、原稿は搬送経路１３に沿ってその表裏が反転するように搬送され、第２の画像読取部Ｈ２、第１の画像読取部Ｈ１の順に通過する。この第２の画像読取部Ｈ２を通過する時に原稿の一方の片面が読み取られ、第１の画像読取部Ｈ１を通過する時に原稿の他方の片面が読み取られる。
【００２０】
原稿の先端が第１排紙ローラ対２９に到達する前に、第１排紙ローラ対２９と第２排紙ローラ対３０とが駆動し、第２の画像読取部Ｈ２と第１の画像読取部Ｈ１とで両面が読み取られた原稿を排紙トレイ１１上に排紙する。
【００２１】
なお、上述した原稿読取装置Ａには、搬送経路１３のレジストローラ対２４と送りローラ対２５との間の経路に重送検出センサＧＳが設けられている。この重送検出センサＧＳは、超音波を発振する発振部と超音波を受振する受振部とを経路を挟んで対向して配置されており、受振した超音波の振動レベルによって原稿の重送を検出する。また、搬送経路１３の排紙トレイ１１側の排紙部にはインプリンタ８が設けられている。このインプリンタ８は、第１排紙ローラ２９と第２排紙ローラ３０とによって排紙される原稿面に５文字程度の文字を印刷することができる。ここでは、原稿の重送などの搬送エラーや第１、第２の読取ユニット３，４による読取エラーが発生したことを報知する文字をエラーの発生した原稿に印刷するようになっている。
【００２２】
前記第２の画像読取部Ｈ２は、図４に示すように第２の読取ユニット４と、この読取ユニット４に対向配置される下流側ガイド部材１４とで構成されている。ここで、図１及び図４は下流側ガイド部材１４を原稿読取装置Ａ側に対して閉じた通常の使用状態を示した断面図であり、図２及び図３は前記下流側ガイド部材１４を原稿読取装置Ａから離間したメンテナンス状態を示した断面図である。前記第２の読取ユニット４は、第３のコンタクトガラス７と、この第３のコンタクトガラス７上に連続して搬送されてくる原稿に光を照射するランプなどの光源６ａ、原稿からの反射光を所定の方向に導く複数のミラー６ｂ，６ｃ，６ｄ，６ｅ、この複数のミラー６ｂ〜６ｅにより導かれた反射光を収束するレンズ６ｆ、このレンズ６ｆにより収束された光を光電変換する光電変換素子６ｇなどから構成される光電変換部１５とを備えている。
【００２３】
本発明の特徴的なところは、搬送中に紙詰まり等を起こした原稿の取り除きやクリーニング等のメンテナンス作業が容易となるように、前記上部搬送路１３ａと側部搬送路１３ｂとが分割して開放可能に構成される点にある。また、前記上部搬送路１３ａ及び側部搬送路１３ｂを開放する際の作業スペースを最小限に抑えると共に、前記上部搬送路１３ａと側部搬送路１３ｂとが連動して開閉可能となるような連動手段を有して前記上流側ガイド部材１９及び下流側ガイド部材１４が構成されている。以下、上流側ガイド部材１９及び下流側ガイド部材１４の構成、開閉構造及び連動手段について説明する。なお、図中の（ａ）は正面方向からの動作状態を示す要部拡大図であり、（ｂ）は側面方向からの動作状態を示す要部拡大図である。
【００２４】
前記下流側ガイド部材１４は、図４に示したように、取付軸１４ｂを支点として前記第３のコンタクトガラス７に対向する位置と離れる位置との間で開閉自在な下流側のガイドカバー１４ａと、このガイドカバー１４ａ内に設けられるバックアップユニット９とで構成されている。バックアップユニット９は、内部が密閉された箱状のベース部材９ａを有し、前記第３のコンタクトガラス７に対向する面がガイド面９ｇとなっている。そして、このガイド面９ｇの裏面側にはバックアップガラス９ｂが設けられている。また、バックアップユニット９の内部には、回転支点９ｃを有する白色板９ｄが設けられ、前記ベース部材９ａの内側壁面９ｅが黒色となっている。このような構成からなるバックアップユニット９は、電源投入時や原稿を読み取る直前などの任意のタイミングで白色板９ｄを第２の画像読取部Ｈ２で読み取り、シェーディング補正データを取得する。片面に画像が形成された片面原稿を読み取る場合は、バックアップガラス９ｂ面に隣接した位置に白色板９ｄをアクチュエータ（図示せず）によって回転移動させる。また、両面に画像が形成された両面原稿を読み取る場合は、白色板９ｄをバックアップガラス９ｂ面に隣接した位置より退避させた位置に回転させる。これによって、片面原稿を読み取る場合は原稿のバックアップ色が白色板９ｄの白色面となり、両面原稿を読み取る場合は原稿のバックアップ色がベース部材９ａの内側壁面９ｅの黒色となる。これによって、読取面側と異なる側の面に形成された画像が読み取られる、いわゆる原稿裏映りを確実に防止することができる。
【００２５】
前記バックアップユニット９のガイド面９ｇには、原稿の搬送幅方向の両端部に沿うような位置にガイド突起９ｆが設けられる。このガイド突起９ｆは、下流側ガイド部材１４を第３のコンタクトガラス７に対向するようにセットした際、この第３のコンタクトガラス７との間に原稿を搬送させるための最小幅のギャップを形成するためのものである。そして、このバックアップユニット９を圧縮バネ１０によって、第２の画像読取部Ｈ２に向けて付勢することで、ガイド突起９ｆが第３のコンタクトガラス７の読取面に当接あるいは近接して、原稿がスムーズに通過できるように保持される。
【００２６】
前記下流側ガイド部材１４には、図５〜図７に示すように、側部搬送路１３ｂに対向した位置で開閉動作を規制する第１の係合手段３１が設けられる。この第１の係合手段３１は、前記下流側ガイド部材１４の側面に回転軸３５を介して回転可能に取り付けられる回転レバー３２と、この回転レバー３２に設けられるロック溝３３及びスライド溝３４とで構成されている。前記回転レバー３２は、上流側ガイド部材１９に備わる第２の係合手段３６又はガイドカバー１４ａ側から操作可能な手動式の操作部３７によって回転可能となるように軸支持されている。このような構成を備えた下流側ガイド部材１４は、図５に示したように、側部搬送路１３ｂに対向した位置に閉鎖したときに前記回転レバー３２のロック溝３３が原稿読取装置Ａに設けられているロックピン３８に係合してロックされる。また、前記回転レバー３２は、スライド溝３４に係合する第２の係合手段３６あるいは手動操作による前記操作部３７によって上方に回転することで、前記ロック溝３３がロックピン３８から外れてロックが解除される。このロックの解除によって、図６に示したように、下流側ガイド部材１４が取付軸１４ｂを支点として図中左方向に約９０度の範囲で開放自在となる。
【００２７】
前記上流側ガイド部材１９は、図３に示したように、上部搬送路１３ａを覆うガイドカバー１９ａと、このガイドカバー１９ａ内に設けられている複数のローラやセンサを有して構成されている。この上流側ガイド部材１９は、取付軸１９ｂを支点として上部搬送路１３ａを閉鎖及び開放するように取り付けられている。そして、この上流側ガイド部材１９には、図５〜図７に示したように、前記下流側ガイド部材１４の第１の係合手段３１に係合して連動させる連動手段（第２の係合手段）３６が設けられている。この第２の係合手段３６は、上流側ガイド部材１９の回転方向に対して直交する方向にスライド可能に取り付けられる係合板３９と、この係合板３９の下端に設けられる突起部４０を備えて構成されている。
【００２８】
前記係合板３９は、図８に示すように、上流側ガイド部材１９及び下流側ガイド部材１４の閉鎖時においては、回転レバー３２が軸支持されている回転軸３５の近傍に突起部４０が係合して静止した状態となっている。この状態から図９に示すように、取付軸１９ｂを支点として上流側ガイド部材１９を上方向に持ち上げると、係合板３９もそれに伴って上方向に移動する。この係合板３９の移動によって、この係合板３９の下端部の設けられている突起部４０が第１の係合手段３１のスライド溝３４内を端部に向かってすべりながら回転レバー３２を上流側ガイド部材１９の開放方向に向けて回転させる。この回転レバー３２の回転動作によって、ロック溝３３がロックピン３８から外れる。この状態から図１０に示すように、上流側ガイド部材１９をさらに持ち上げると、前記突起部４０がスライド溝３４から完全に外れ、下流側ガイド部材１４が取付軸１４ｂを支点としてフリーに開放可能となる。図１１は前記上流側ガイド部材１９及び下流側ガイド部材１４を完全に開放した場合の状態を示したものである。このように、前記上流側ガイド部材１９及び下流側ガイド部材１４は、上部搬送路１３ａ及び側部搬送路１３ｂに対してそれぞれ約９０度の範囲で開放自在となる。
【００２９】
次に、図１２〜図１４に基づいて、前記上流側ガイド部材１９及び下流側ガイド部材１４を閉鎖する動作について説明する。前記下流側ガイド部材１４は、開放動作と同様に上流側ガイド部材１９の閉鎖あるいは開放に関わりなく閉鎖動作を行わせることができる。図１２に示したように、上流側ガイド部材１９が閉鎖されている場合は、前記下流側ガイド部材１４を引き起こしてそのまま側部搬送路１３ｂに対向する閉鎖位置に向けて回転させる。このようにして、前記下流側ガイド部材１４が閉鎖位置に近付くと、回転レバー３２の下端側の傾斜ガイド面４３にロックピン３８が乗り上げられ、そのままの状態で閉鎖位置に達すると、前記ロックピン３８が回転レバー３２のロック溝３３に係合されてロック状態となる。
【００３０】
また、図１３に示すように、上流側ガイド部材１９が開放状態において、先に下流側ガイド部材１４が閉鎖され、あるいは、既に閉鎖されている場合は、図１４に示すように、上流側ガイド部材１９をそのまま上部搬送路１３ａに向けて押し下げることによって閉鎖が可能となる。これは、前記第２の係合手段３６に備わる係合板３９が、上流側ガイド部材１９に設けられている長孔４４に沿って上下方向に退避可能なスライド手段を有した構成になっているからである。したがって、前記上流側ガイド部材１９が閉鎖しようとする際、前記係合板３９の先端に設けられている突起部４０が第１の係合手段３１に設けられている傾斜スライド部６０の傾斜面をすべりながら下降することで、回転レバー３２に阻害されずに図７に示したようなロック位置にセットされることになる。
【００３１】
以上、説明したように、本発明の原稿読取装置にあっては、原稿の搬送経路を形成する上流側搬送路と下流側搬送路とを分割して開閉可能な構成にしているので、前記上流側搬送路及び下流側搬送路をそれぞれガイドする上流側ガイド部材及び下流側ガイド部材ごとにコンパクトに開放させることができ、設置スペースの削減やメンテナンス作業の容易性が図られることとなる。また、前記下流側ガイド部材及び上流側ガイド部材のそれぞれに係合手段を設けているので、前記上流側ガイド部材に連動させて下流側ガイド部材を開閉させることができるため、操作性にも優れている。
【００３２】
前記上流側ガイド部材が開く際には、これに連動して下流側ガイド部材が開くので、搬送経路上で紙詰まり等を起こしたが原稿を容易に除去することが可能となり、原稿を取り除く際に原稿を読み取るコンタクトガラスやバックアップガラスに損傷を与えることがない。さらに、原稿を取り除く際の紙粉やローラ粕が搬送路中に落ちるようなことがなくなる。
【００３３】
また、前記上流側ガイド部材を開くことなく、下流側ガイド部材のみを単独で開くことができるので、コンタクトガラスやバックアップガラス等に付着したゴミや塵などの汚物を容易に取り除くことができると共に、このようなクリーニング時には必要な搬送経路上のみ開閉できるので、他の搬送経路内へのゴミや塵の侵入を極力抑えることができる。
【図面の簡単な説明】
【００３４】
【図１】本発明に係る原稿読取装置の全体構成を示す断面図である。
【図２】上記原稿読取装置の下流側搬送路を開放したときの断面図である。
【図３】上記原稿読取装置の上流側搬送路及び下流側搬送路を開放したときの断面図である。
【図４】第２の画像読取部の構造を示す断面図である。
【図５】下流側ガイド部材のロック解除の初期動作を示す作用図である。
【図６】下流側ガイド部材が開放した状態を示す作用図である。
【図７】上流側ガイド部材と下流側ガイド部材との連結構造を示す要部斜視図である。
【図８】上流側ガイド部材と下流側ガイド部材とが共に閉鎖状態にあるときの作用図である。
【図９】上流側ガイド部材と下流側ガイド部材とが連結した状態を示す作用図である。
【図１０】上流側ガイド部材と下流側ガイド部材とが共に開放状態に向かう際の動作を示す作用図である。
【図１１】上流側ガイド部材と下流側ガイド部材とが共に開放された状態を示す作用図である。
【図１２】下流側ガイド部材を閉鎖状態に移行させる状態を示す作用図である。
【図１３】上流側ガイド部材と下流側ガイド部材とが共に閉鎖状態に向かう際の動作を示す作用図である。
【図１４】上流側ガイド部材の閉鎖動作を示す作用図である。
【符号の説明】
【００３５】
Ａ  原稿読取装置
Ｆ  搬送ユニット
Ｈ１  第１の画像読取部
Ｈ２  第２の画像読取部
Ｔ  給紙トレイユニット
１  第１のコンタクトガラス
２  第２のコンタクトガラス
３  第１の読取ユニット
４  第２の読取ユニット
７  第３のコンタクトガラス
９  バックアップユニット
９ｂ  バックアップガラス
１１  排紙トレイ
１３  搬送経路
１３ａ  上部搬送路
１３ｂ  側部搬送路
１３ｃ  下部搬送路
１４  下流側ガイド部材
１４ａ  ガイドカバー
１４ｂ  取付軸
１９  上流側ガイド部材
１９ａ  ガイドカバー
１９ｂ  取付軸
３１  第１の係合手段
３２  回転レバー
３３  ロック溝
３４  スライド溝
３５  回転軸
３６  第２の係合手段
３７  操作部
３８  ロックピン
３９  係合板
４０  突起部
４１  給紙トレイ
４３  傾斜ガイド面
４４  長孔
６０  傾斜スライド部
【図１】
2008187595.tif 000003
【図２】
2008187595.tif 000004
【図３】
2008187595.tif 000005
【図４】
2008187595.tif 000006
【図５】
2008187595.tif 000007
【図６】
2008187595.tif 000008
【図７】
2008187595.tif 000009
【図８】
2008187595.tif 000010
【図９】
2008187595.tif 000011
【図１０】
2008187595.tif 000012
【図１１】
2008187595.tif 000013
【図１２】
2008187595.tif 000014
【図１３】
2008187595.tif 000015
【図１４】
2008187595.tif 000016